(57)【要約】      （修正有）【課題】簡単な構成でありながら、ねじ式のキャップ付きの容器にも適用可能であり、容器を倒立、正立させるだけで、所定数の錠剤を確実に外部に取り出す。【解決手段】キャップ付きの容器の口部に装着する中栓本体と、中栓本体の下面側に付設し、容器の姿勢に従って上下に揺動する揺動部材とを備えてなり、中栓本体は、錠剤を収納可能な収納部を上面に開口するとともに、容器内の錠剤を収納部に順次ガイドするスロープを下面側に形成し、揺動部材は、容器を倒立させると、スロープを介して容器内の錠剤が収納部に進入することを許容し、容器を正立させると、収納部内の錠剤が容器内に脱落することを阻止する。【選択図】図２
2008094457.tif 000002
【特許請求の範囲】
【請求項１】
キャップ付きの容器の口部に装着する中栓本体と、該中栓本体の下面側に付設し、容器の姿勢に従って上下に揺動する揺動部材とを備えてなり、前記中栓本体は、錠剤を収納可能な収納部を上面に開口するとともに、容器内の錠剤を前記収納部に順次ガイドするスロープを下面側に形成し、前記揺動部材は、容器を倒立させると、前記スロープを介して容器内の錠剤が前記収納部に進入することを許容し、容器を正立させると、前記収納部内の錠剤が容器内に脱落することを阻止することを特徴とする錠剤容器の中栓。
【請求項２】
前記揺動部材は、容器を正立させると、前記収納部内の錠剤を押し上げることを特徴とする請求項１記載の錠剤容器の中栓。
【請求項３】
前記揺動部材は、左右一対の支持ピンと、該支持ピンによる揺動中心の一方の側に形成する規制部と、他方の側に形成する円錐部、重り部とを有することを特徴とする請求項１または請求項２記載の錠剤容器の中栓。
【請求項４】
前記規制部、重り部は、それぞれ下向き山形断面の板状に形成し、前記円錐部は、下向きの笠状に形成することを特徴とする請求項３記載の錠剤容器の中栓。
【発明の詳細な説明】
【技術分野】
【０００１】
この発明は、容器から所定数の錠剤を確実に取り出すことができる錠剤容器の中栓に関する。
【背景技術】
【０００２】
容器に収納されている錠剤を所定数量だけ取り出すために、いわゆる計量形の錠剤容器が提案されている。
【０００３】
たとえば、排出口付きの中栓の上面に計量室を設け、回転操作可能な取出口付きの透明カバーによって計量室の上面を閉じるものが知られている（特許文献１）。透明カバーには、中栓の排出口を開閉する規制部が設けられている。そこで、このものは、中栓の排出口を開いて所定数の錠剤を計量室側に振り出し、透明カバーを回転させて中栓の排出口を閉じた上、透明カバーの取出口から錠剤を外部に取り出すことができる。
【０００４】
また、ヒンジ式のキャップ付きの容器の中栓に揺動体を付設し、キャップの開閉に連動して揺動体を揺動させる形式も知られている（特許文献２、３）。このものは、キャップを閉じて、容器を倒立させて正立させることにより、中栓上の計量皿に所定数の錠剤を自動的に量り取り、キャップを開いて、量り取られた錠剤を外部に取り出すことができる。
【特許文献１】特開２００５−８８９３７号公報
【特許文献２】特開平１１−２０８７０２号公報
【特許文献３】特開平１１−２０８７０３号公報
【発明の開示】
【発明が解決しようとする課題】
【０００５】
かかる従来技術の前者によるときは、錠剤は、中栓の排出口を介して所定数を計量室に排出し、さらに透明カバーの取出口を介して外部に取り出す必要がある上、計量室内の錠剤の数を目で確認するものであるから、使用手順が煩雑であり、高齢者などの患者にとって必ずしも適切でないという問題があった。また、後者によるときは、揺動体をキャップに連動させるから、ヒンジ式のキャップ付きの容器にしか適用できない上、揺動体をキャップに連動させる連動機構が必要であり、全体構成が複雑になるという問題があった。
【０００６】
そこで、この発明の目的は、かかる従来技術の問題に鑑み、中栓本体と、容器の姿勢に従って自重により揺動する揺動部材とを組み合わせることによって、簡単な構成でありながら、ねじ式のキャップ付きの容器にも適用可能であり、容器を倒立、正立させるだけで、所定数の錠剤を確実に外部に取り出すことができる錠剤容器の中栓を提供することにある。
【課題を解決するための手段】
【０００７】
かかる目的を達成するためのこの発明の構成は、キャップ付きの容器の口部に装着する中栓本体と、中栓本体の下面側に付設し、容器の姿勢に従って上下に揺動する揺動部材とを備えてなり、中栓本体は、錠剤を収納可能な収納部を上面に開口するとともに、容器内の錠剤を収納部に順次ガイドするスロープを下面側に形成し、揺動部材は、容器を倒立させると、スロープを介して容器内の錠剤が収納部に進入することを許容し、容器を正立させると、収納部内の錠剤が容器内に脱落することを阻止することをその要旨とする。
【０００８】
なお、揺動部材は、容器を正立させると、収納部内の錠剤を押し上げることができる。
【０００９】
また、揺動部材は、左右一対の支持ピンと、支持ピンによる揺動中心の一方の側に形成する規制部と、他方の側に形成する円錐部、重り部とを有することができ、規制部、重り部は、それぞれ下向き山形断面の板状に形成し、円錐部は、下向きの笠状に形成することができる。
【発明の効果】
【００１０】
かかる発明の構成によるときは、中栓本体の上面に開口する収納部は、錠剤をたとえば１錠または２錠ずつ水平に収納することができ、中栓本体の下面側に形成するスロープは、容器内の錠剤を収納部に順次ガイドする。そこで、キャップを閉じて容器を倒立させると、容器内の錠剤は、スロープを介して収納部に進入するから、その後、容器を正立させてキャップを開けば、収納部内の錠剤を外部に取り出すことができる。容器を正立させると、揺動部材は、自重によって下向きに揺動し、収納部内の錠剤の脱落を阻止して収納部内に正しく保持することができるからである。なお、錠剤は、平面視円形であって、スロープは、錠剤を周方向に回転させながら整列させ、収納部に順次ガイドして進入させるものとする。ただし、収納部は、錠剤の最大径に適合する円形孔または錠剤の２錠を水平に並べて収納し得る長孔として形成し、中栓本体の周縁部において１個または２個を並べて開口する。また、錠剤をガイドするスロープは、各収納部ごとに設けることが好ましい。
【００１１】
揺動部材は、収納部内の錠剤を押し上げることにより、容器を傾けるだけで、収納部内の錠剤を容易に外部に取り出すことができる。
【００１２】
揺動部材は、左右一対の支持ピンによる揺動中心の一方の側に規制部を形成し、他方の側に円錐部、重り部を形成することにより、揺動中心の両側の重量を極端にアンバランスにして、容器を倒立、正立させることにより確実に上下に揺動させることができる。また、規制部、重り部を下向き山形断面の板状にし、円錐部を下向きの笠状にすると、容器を倒立させることにより、容器内の錠剤を一層確実にスロープに導くことができる。
【発明を実施するための最良の形態】
【００１３】
以下、図面を以って発明の実施の形態を説明する。
【００１４】
錠剤容器の中栓は、容器３０の口部３１に装着する中栓本体１０の下面側に揺動部材２０を付設してなる（図１、図２）。
【００１５】
容器３０は、錠剤Ｔ、Ｔ…を収納する錠剤容器である。中栓本体１０は、容器３０の広口の口部３１に圧入するようにして装着されており、口部３１の外周には、雄ねじ３２が形成されている。また、口部３１には、雄ねじ３２に適合する雌ねじ３３ａ付きのねじ式のキャップ３３が装着されている。
【００１６】
中栓本体１０は、上面の周縁部に錠剤Ｔの収納部１１、１１を並べて開口する天板１２付きの円筒部材である。天板１２の周囲には、不完全な円形の溝１３が形成されており、溝１３の底面１３ａは、収納部１１、１１の外周に接する部分が天板１２の上面と同一高さとなって最も高く、収納部１１、１１の反対側が最も低い平面となり、中間が傾斜面に形成されている。また、中栓本体１０の上端には、容器３０の口部３１の上端面と同径の外フランジ１４が形成されている。各収納部１１は、平面視円形の錠剤Ｔの最大外径に適合する円形孔であり、錠剤Ｔを水平にして１錠ずつ収納することができる。
【００１７】
中栓本体１０の円筒部分は、容器３０の口部３１に圧入し易いように、中間部において小径に絞り、下端部においてテーパ状に仕上げられている（図３（Ａ））。ただし、図３（Ａ）は、図２相当の中栓本体１０、揺動部材２０の組立断面図であり、図３（Ｂ）は、中栓本体１０の下面図である。また、図３（Ｃ）、（Ｄ）は、それぞれ同図（Ｂ）のＸ−Ｘ線矢視相当断面図、Ｙ−Ｙ線矢視相当拡大断面図である。
【００１８】
中栓本体１０の下面側には、上面側の溝１３の底面１３ａの傾斜面部分に対応するようにして、各収納部１１に向かう円弧状のスロープ１５、１５が対称形に形成されている。なお、各スロープ１５の幅ａは、錠剤Ｔの最大径より小さいものとする。
【００１９】
各収納部１１は、中栓本体１０の円筒部分の内面に形成する突出部１１ａと、突出部１１ａに対面する垂下壁１１ｂとの間に形成されており、収納部１１、１１の間には、突出部１１ａ、垂下壁１１ｂを連結するようにして、突出部１１ａに向けて下端を斜めに切り上げる仕切壁１１ｃが垂設されている。各収納部１１は、周方向の一部が突出部１１ａ、垂下壁１１ｂに掛かり、突出部１１ａ、垂下壁１１ｂの下端に到達しない位置で終端させるとともに、突出部１１ａ側が垂下壁１１ｂ側より深く形成されている。また、各収納部１１は、突出部１１ａ、垂下壁１１ｂの間の下側と、スロープ１５側の周側部とが完全に開放されている。
【００２０】
各スロープ１５と天板１２との間には、円弧状の仕切リブ１５ａが垂設されており、天板１２と平行な仕切リブ１５ａの下端は、スロープ１５に向けて斜めに形成されている。仕切リブ１５ａ、１５ａの各収納部１１側の先端には、揺動部材２０用の支柱１６が下向きに立設されている。支柱１６、１６の下端部には、下向きに開口する係止溝１６ａ、１６ａが互いに対向して形成されており、垂下壁１１ｂは、支柱１６、１６の間に垂設されている。
【００２１】
揺動部材２０は、規制部２１、円錐部２２、重り部２３を直線状に連結して構成されている（図３（Ａ）、図４）。なお、規制部２１の基部には、左右一対の支持ピン２４、２４が互いに逆方向に突設されている。
【００２２】
規制部２１、重り部２３は、それぞれ下向き山形断面の板状に形成されており、規制部２１、重り部２３の先端は、それぞれ直線状、円弧状に形成されている。また、円錐部２２は、下向きの笠状に形成されている。そこで、揺動部材２０は、左右の支持ピン２４、２４を中栓本体１０の係止溝１６ａ、１６ａに押し込むようにして係止させることにより、中栓本体１０の下面側に揺動自在に付設することができ、支持ピン２４、２４は、揺動部材２０の揺動中心Ｃとなっている。なお、各係止溝１６ａは、支持ピン２４を弾発的に係止し得るように、入口部分が狭く、支持ピン２４に適合する円形部分を奥部に有する変形溝となっている（図３（Ｄ））。
【００２３】
揺動部材２０は、支持ピン２４、２４による揺動中心Ｃの一方の側に規制部２１を形成し（図４）、他方の側に円錐部２２、重り部２３を形成することにより、揺動中心Ｃの両側の重量が極端にアンバランスとなっている。そこで、揺動部材２０は、容器３０を正立させると、中栓本体１０の下側に斜めに垂下し（図３（Ａ）の実線）、容器３０を倒立させると、中栓本体１０上に折り畳むようにして揺動する（同図の二点鎖線）。すなわち、揺動部材２０は、容器３０の姿勢に従って、自重により上下に揺動することができる。なお、揺動部材２０の全体形状は、中栓本体１０の下面のうち、突出部１１ａ、スロープ１５、１５、仕切リブ１５ａ、１５ａを除くほぼ全面を覆うように設定されている（図３（Ｂ）の二点鎖線）。
【００２４】
かかる錠剤容器の中栓の使用方法は、次のとおりである。
【００２５】
容器３０に錠剤Ｔ、Ｔ…を収納し（図２）、キャップ３３を装着して容器３０を倒立させると（図５（Ａ））、揺動部材２０は、中栓本体１０の下面上に折り畳むようにして揺動する。ただし、このとき、揺動部材２０は、重り部２３の先端縁が中栓本体１０の溝１３の底面１３ａの上面に当接して停止し、規制部２１が仕切壁１１ｃから十分に離れ、各スロープ１５を介して錠剤Ｔが対応する収納部１１に進入することを許容している。
【００２６】
そこで、容器３０内の錠剤Ｔ、Ｔ…は、円錐部２２の両側に露出する各スロープ１５上を周方向に回転しながら整列し（図５（Ｂ））、対応する収納部１１に順次ガイドされて、先頭の１錠だけが収納部１１に収納される。各スロープ１５の幅ａは、錠剤Ｔの最大径より小さく、収納部１１は、錠剤Ｔの１錠のみを収納し得るからである。なお、錠剤Ｔは、収納部１１に進入する際に、収納部１１側に突出する突出部１１ａに接触して倒れ、収納部１１内において、キャップ３３上に水平に収納される。また、容器３０は、倒立させた後、水平方向に軽く振ることにより、錠剤Ｔを各収納部１１に一層確実に収納することができる。
【００２７】
つづいて、容器３０を正立させると（図６）、揺動部材２０は、下方に斜めに揺動し、規制部２１の先端が仕切壁１１ｃの下端に当接して停止する。このとき、収納部１１内の錠剤Ｔは、規制部２１の先端を介して軽く押し上げられるとともに、規制部２１を介して容器３０内に脱落することを阻止されており、収納部１１内に正しく保持される。そこで、キャップ３３を外し、収納部１１、１１が下側となるように容器３０を傾けると（図７）、収納部１１、１１内の錠剤Ｔ、Ｔだけを外部に正しく取り出すことができる。また、このとき、揺動部材２０の規制部２１は、容器３０内の錠剤Ｔが収納部１１に進入することを阻止しているため、余分の錠剤Ｔが外部に排出されるおそれがない。
【００２８】
以上の操作を繰り返せば、容器３０内の錠剤Ｔ、Ｔ…を２個ずつ取り出すことができる。また、所定数の錠剤Ｔ、Ｔ…を取り出したら、キャップ３３を再装着して保管すればよい。
【他の実施の形態】
【００２９】
中栓本体１０の天板１２の下部には、乾燥剤Ｄを装着することができる（図２の二点鎖線）。乾燥剤Ｄは、容器３０内を乾燥させ、過大な湿気による錠剤Ｔ、Ｔ…の劣化を防止する。なお、天板１２は、溝１３によって囲まれる部分をたとえば溝１３の底面１３ａの最も低い部分の位置にまで掘り下げることができ、乾燥剤Ｄは、天板１２上の掘り下げた部分に装着することも可能である。
【００３０】
また、中栓本体１０は、収納部１１、１１を１個のみとして、錠剤Ｔを１錠ずつ外部に取り出すようにしてもよい。あるいは、各収納部１１は、２錠ずつの錠剤Ｔ、Ｔを水平に並べて収納し得る長孔に形成してもよく（図８）、長孔の収納部１１を１個だけ形成してもよい。また、１錠の錠剤Ｔを収納する円形孔の収納部１１と、２錠の錠剤Ｔ、Ｔを収納する長孔の収納部１１とを並べて配置してもよい。なお、長孔の収納部１１は、中間部を滑らかにくびれさせてひょうたん形に形成してもよく、中栓本体１０の外周に沿って円弧状に湾曲させてもよい。
【００３１】
さらに、収納部１１の個数、形状に拘らず、固定ピン１７ａを介して天板１２上に薄板状の回転羽根１７を装着し（図９）、回転羽根１７を回転させて各収納部１１を全面的または部分的に開閉することにより、必要に応じて錠剤Ｔを１〜４錠の所定数ずつ外部に取り出すことができる。ただし、図９において、回転羽根１７の回転限界は、天板１２の上面に設けるストッパ用の段差１７ｂを介して規定されており、段差１７ｂは、回転羽根１７の左右の回転方向に設けるものとする。
【００３２】
以上の説明において、中栓本体１０、揺動部材２０は、それぞれプラスチック材料により一体成形することが好ましい。また、キャップ３３は、ねじ式に代えて、容器３０と一体のヒンジ式であってもよい。
【図面の簡単な説明】
【００３３】
【図１】使用状態を示す全体斜視図
【図２】図１の中央縦断面図
【図３】全体構成説明図
【図４】全体構成分解斜視図
【図５】使用手順説明図（１）
【図６】使用手順説明図（２）
【図７】使用手順説明図（３）
【図８】他の実施の形態を示す要部斜視図（１）
【図９】他の実施の形態を示す要部斜視図（２）
【符号の説明】
【００３４】
Ｔ…錠剤
Ｃ…揺動中心
１０…中栓本体
１１…収納部
１５…スロープ
２０…揺動部材
２１…規制部
２２…円錐部
２３…重り部
２４…支持ピン
３０…容器
３１…口部
３３…キャップ
特許出願人          伸晃化学株式会社
代理人  弁理士        松  田  忠  秋
【図１】
2008094457.tif 000003
【図２】
2008094457.tif 000004
【図３】
2008094457.tif 000005
【図４】
2008094457.tif 000006
【図５】
2008094457.tif 000007
【図６】
2008094457.tif 000008
【図７】
2008094457.tif 000009
【図８】
2008094457.tif 000010
【図９】
2008094457.tif 000011